(57)【要約】【課題】同じ天板を共用する隣接する使用者の存在を気にせずに、使用者各自が快適に作業を行うことができる天板付き什器、及び、組み合わせ什器を提供する。【解決手段】天板１２の少なくとも一方の側部を施設内の通路に隣接して配置する。天板１２を使用する使用者の進入スペースを天板１２の後方側に確保する。天板１２の通路に臨む側の作業領域ＷＬ，ＷＲは、後端縁が隣接する通路に向かって後方側に傾斜するように形成する。【選択図】図２
2015229078.tif 000002
【特許請求の範囲】
【請求項１】
脚部材に支持された天板を備え、当該天板が複数の使用者の作業領域を有する天板付き什器であって、前記天板の少なくとも一方の側部が施設内の通路に隣接して配置されるとともに、前記天板を使用する使用者の進入スペースが前記天板の後方側に確保されるものにおいて、
前記天板の前記通路に臨む側の作業領域は、後端縁が隣接する前記通路に向かって後方側に傾斜して形成されていることを特徴とする天板付き什器。
【請求項２】
前記天板の前記通路に臨む側端部は、前記通路の延出方向と略平行に形成されていることを特徴とする請求項１に記載の天板付き什器。
【請求項３】
前記天板の両側の側部に施設内の前記通路が隣接して配置され、
前記天板は幅方向の中心線を挟んで左右に二つの作業領域を有し、
当該二つの作業領域の後端縁がそれぞれ隣接する前記通路に向かって後方側に傾斜して形成されていることを特徴とする請求項１または２に記載の天板付き什器。
【請求項４】
請求項３に記載の天板付き什器と、当該天板付き什器の天板の前記各作業領域の後方に設置される椅子を備える組み合わせ什器において、
前記天板の前記通路に臨む側の作業領域に対面する前記椅子は、座の幅方向が隣接する前記通路に向かって後方側に傾斜していることを特徴とする組み合わせ什器。
【請求項５】
前記天板付き什器と前記椅子が組を成し、当該天板付き什器と椅子の組が前後方向に複数配列されて使用される組み合わせ什器において、
前記天板付き什器の天板の前記通路に臨む側の作業領域の前端縁は、隣接する前記通路に向かって後方側に傾斜していることを特徴とする請求項４に記載の組み合わせ什器。
【発明の詳細な説明】
【技術分野】
【０００１】
この発明は、教室や講演会場、競技場等の施設内において通路に隣接して設置される天板付き什器、及び、組み合わせ什器に関するものである。
【背景技術】
【０００２】
教室や講演会場、競技場等の施設においては、脚部材に支持された天板を備えた長テーブル等の天板付き什器が使用される（例えば、特許文献１参照）。
【０００３】
この種の天板付き什器は、天板を使用する使用者の進入スペース（着座スペース）が天板の後方側に確保され、横並びに並んだ使用者が天板面を複数の作業領域に分け合って使用する。また、天板付き什器の少なくとも一方の側部は施設内の通路に隣接して配置されている。
【先行技術文献】
【特許文献】
【０００４】
【特許文献１】特許第２７３７７３７号公報
【発明の概要】
【発明が解決しようとする課題】
【０００５】
ところで、上記の天板付き什器が教室や講演会場、競技場等の公共施設で用いられる場合には、共通の天板面を利用する使用者が知己の人間とは限らない。
しかしながら、従来の天板付き什器は、作業領域となる天板全体が略矩形状に形成され、使用者の前面側に対峙する天板の後端縁が、施設内の通路と略直交する直線的な形状とされている。このため、同じ天板を利用する隣接する使用者の視線の向く方向が近くなり、隣接する使用者が気になって作業に集中しにくい状況が考えられる。
【０００６】
そこでこの発明は、同じ天板を共用する隣接する使用者の存在を気にせずに、使用者各自が快適に作業を行うことができる天板付き什器、及び、組み合わせ什器を提供しようとするものである。
【課題を解決するための手段】
【０００７】
この発明に係る天板付き什器は、上記課題を解決するために、脚部材に支持された天板を備え、当該天板が複数の使用者の作業領域を有する天板付き什器であって、前記天板の少なくとも一方の側部が施設内の通路に隣接して配置されるとともに、前記天板を使用する使用者の進入スペースが前記天板の後方側に確保されるものにおいて、前記天板の前記通路に臨む側の作業領域は、後端縁が隣接する前記通路に向かって後方側に傾斜して形成されるようにした。
【０００８】
これにより、天板の後方側から天板上の作業領域に対面する使用者のうち、通路に臨む側の作業領域に対面する使用者は通路側に斜めに向くことになる。したがって、通路に臨む側の作業領域に対面する使用者と、その隣の作業領域に対面する使用者とは、両者の視線の向く方向が相反方向にずれることになる。
【０００９】
前記天板の前記通路に臨む側端部は、前記通路の延出方向と略平行に形成されることが望ましい。
この場合、天板の通路に臨む側端部において、角部が通路側に突出することことがなくなるため、通路を通行する人が天板の角部に接触しにくくなる。
【００１０】
前記天板の両側の側部に施設内の前記通路が隣接して配置され、前記天板は幅方向の中心線を挟んで左右に二つの作業領域を有し、当該二つの作業領域の後端縁がそれぞれ隣接する前記通路に向かって後方側に傾斜して形成されるようにしても良い。
この場合、天板上の各作業領域に対面する使用者が、隣接する通路側にそれぞれ斜めに向くことになる。このため、各作業領域に対面する使用者は視線の向く方向が相反方向にずれることになる。
【００１１】
この発明に係る組み合わせ什器は、前記いずれかの天板付き什器と、当該天板付き什器の天板の前記各作業領域の後方に設置される椅子を備える組み合わせ什器において、前記天板の前記通路に臨む側の作業領域に対面する前記椅子は、座の幅方向が隣接する前記通路に向かって後方側に傾斜するようにした。
【００１２】
これにより、天板の後方側の椅子に着座する使用者のうち、通路に臨む側の作業領域に対面して着座する使用者は通路側に斜めに向くことになる。このため、通路に臨む側の作業領域に対面して着座する使用者と、その隣の作業領域に対面して着座する使用者とは、両者の視線の向く方向が相反方向にずれることになる。また、通路に臨む側の作業領域に対面して着座した使用者は通路側に斜めに向くことなるため、着座状態から通路に出易くなる。また、通路から入ってきた使用者も座に着座し易くなる。
【００１３】
前記天板付き什器と前記椅子が組を成し、当該天板付き什器と椅子の組が前後方向に複数配列されて使用される組み合わせ什器において、前記天板付き什器の天板の前記通路に臨む側の作業領域の前端縁は、隣接する前記通路に向かって後方側に傾斜させるようにしても良い。
この場合、通路に臨む側の作業領域に対面する椅子の座の幅方向の向きと、その後方側の天板付き什器の天板の作業領域の前端縁の向きがほぼ合致することになる。したがって、天板付き什器とその前方側の椅子の間に不要なスペースができなくなり、施設内の限られたスペース内に天板付き什器と椅子を効率良く配置することが可能になる。
【発明の効果】
【００１４】
この発明によれば、通路に臨む側の作業領域に対面する使用者と、その隣の作業領域に対面する使用者の視線の向く方向が相反方向にずれることになるため、同じ天板を共用する隣接する使用者の存在を気にせずに、使用者各自が快適に作業を行うことができる。
【図面の簡単な説明】
【００１５】
【図１】この発明の一実施形態の組み合わせ什器を設置した施設内の側面図である。
【図２】この発明の一実施形態の組み合わせ什器を設置した施設内の上面図である。
【図３】この発明の一実施形態の組み合わせ什器を設置した施設内の正面図である。
【図４】この発明の一実施形態の組み合わせ什器を設置した施設内の斜視図である。
【図５】この発明の一実施形態の変形例の組み合わせ什器を設置した施設内の側面図である。
【発明を実施するための形態】
【００１６】
以下、この発明の一実施形態を図面に基づいて説明する。
この実施形態に係る天板付き什器１０は、使用者二人が左右に並んで利用可能な二人用テーブルであり、天板付き什器１０の後方側に設置される二つの椅子２０，２０と組み合わされて利用される。天板付き什器１０と二つの椅子２０，２０が組を成し、これらが組み合わせ什器を構成している。
【００１７】
この実施形態では、天板付き什器１０と椅子２０，２０の組が、競技場の階段状の段床１に、前後と左右に並んで複数設置されて用いられている。競技場の段床１は、観戦方向に向かって次第に低位となるように形成されており、天板付き什器１０…は、その段床１の傾斜に沿って前後方向に直線的に並んで設置されている。前後に並ぶ各天板付き什器１０は、段床１の高さの異なる各段に設置されている。
【００１８】
こうして直線的に前後に並んだ天板付き什器１０…の列の左右両側には、施設内の階段通路２が配置されている。施設内には、段床１の傾斜に沿う階段通路２（通路）が複数略平行に設けられている。
なお、以下においては、特別に断らない限り、施設内の競技観戦方向を「前」と呼び、その反対側を「後」と呼ぶものとする。図中矢印ＦＲは、施設内の前方を指すものとする。
【００１９】
天板付き什器１０は、段床１の水平面１ａに固定設置される脚部材１１と、脚部材１１の上端部に略水平に取り付けられる天板１２と、脚部材１１と天板１２に取り付けられて天板１２の前部を前方側から遮蔽する幕板１３と、を備えている。各天板付き什器１０の天板１２の後方側（競技観戦方向に向かっての後方側）には、天板１２を使用する使用者の進入スペースが確保され、その進入スペースに天板付き什器１０と組を成す椅子２０，２０が設置されている。
【００２０】
天板１２は、幅方向に横長に形成され、幅方向の中心線Ｃを挟んだ左右に二つの作業領域ＷＬ，ＷＲが設けられている。各作業領域ＷＬ，ＷＲの前端縁（前端面１４を含む。）と後端縁（後端面１５を含む。）は、それぞれ隣接する階段通路２に向かって設定角度（例えば、５°程度）後方側に傾斜している。具体的には、左側の作業領域ＷＬの前端縁（前端面１４を含む。）と後端縁（後端面１５を含む。）とは、左側に位置される階段通路２に向かって設定角度後方側に傾斜しており、右側の作業領域ＷＲのの前端縁（前端面１４を含む。）と後端縁（後端面１５を含む。）とは、右側に位置される階段通路２に向かって設定角度後方側に傾斜している。
【００２１】
また、天板１２の階段通路２に臨む側端部１９（側部側の端面）は、階段通路２の延出方向と略平行に形成されている。つまり、天板１２の各側端部１９は、端面が階段通路２に沿うように形成されている。
【００２２】
幕板１３は、板厚方向が略前後方向を向くようにして、脚部材１１と天板１２の前端面１４とに跨って取り付けられている。幕板１３は、幅方向の中心線Ｃの位置を前側に凸の稜線として左右両側が後方側に設定角度傾斜している。幕板１３のこの傾斜角度は、天板１２の左右の作業領域ＷＬ，ＷＲの前端面１４の傾斜角度と合致する角度に設定されている。
【００２３】
また、幕板１３は、図３に示すように、天板１２の前部下方を覆う下方遮蔽領域１３ａと、天板１２の前面と天板１２の前部上方側を覆う上方遮蔽領域１３ｂとを備えている。下方遮蔽領域１３ａの幅方向の寸法は、脚部材１１の幅方向の寸法とほぼ同寸法に設定され、上方遮蔽領域１３ｂの幅方向の寸法は、天板１２の幅方向の寸法とほぼ同寸法に設定されている。天板１２の幅方向の寸法は、脚部材１１の幅方向の寸法よりも大きく設定されている。幕板１３の上方遮蔽領域１３ｂの側端部は、下方遮蔽領域１３ａの側端部に対して隣接する階段通路２側に段差状に膨出している。
【００２４】
脚部材１１の階段通路２に臨む側面のうちの、幕板１３の下方遮蔽領域１３ａに対応する高さ位置には、階段通路２を移動する歩行者が把持可能な把持部材１６が取り付けられている。
また、幕板１３の上方遮蔽領域１３ｂの前面には、前方の着座者の頭部を保護するための頭部保護部材１７が取り付けられている。
【００２５】
ところで、天板付き什器１０と組みを成す二つの椅子２０，２０は、その天板付き什器１０の設置される段床１の段よりも一段上の段の前部垂立面１ｂに支持されている。
各椅子２０は、基端が段床１の前部垂立面１ｂに固定設置されて、その基端から前部上方側に向かって延出する一対の支持アーム２１，２１と、後縁部が一対の支持アーム２１，２１に跳ね上げ回動可能に軸支される座２２と、下端が一対の支持アーム２１，２１に固定される背凭れ２３と、を備えている。
【００２６】
座２２は、図４に示すように、左右の支持アーム２１，２１に保持された回動軸２４に軸支されている。各回動軸２４は、前方の天板付き什器１０の天板１２の作業領域ＷＬまたはＷＲの後端面１５（後端縁）と平行になるように、つまり、隣接する階段通路２に向かって後方側に傾斜するように設置されている。そして、各回動軸２４に軸支される座２２は、幅方向が隣接する階段通路２に向かって後方側に傾斜している。また、下端が左右の支持アーム２１，２１に固定される背凭れ２３も、座２２と同様に幅方向が隣接する階段通路２に向かって後方側に傾斜している。
【００２７】
以上のように、階段通路２の両側に設置された天板付き什器１０と椅子２０，２０の組は以下のようにして使用される。
各天板付き什器１０の天板１２を利用する使用者は、階段通路２から使用する天板１２の作業領域ＷＬ，ＷＲの後方側に進入し、その作業領域ＷＬ，ＷＲの後方側の対応する椅子２０に着座する。
【００２８】
このとき、天板１２の作業領域ＷＬ，ＷＲの後端縁（後端面１５を含む。）は、隣接する階段通路２に向かって後方側に傾斜し、対応する椅子２０，２０も、幅方向が同様に隣接する階段通路２に向かって後方側に傾斜している。このため、椅子２０に着座して天板１２上の作業領域ＷＬ，ＷＲに向かった使用者は、体全体が隣接する階段通路２の前方側に斜め向くことになる。したがって、一つの天板付き什器１０の天板１２を共用する左右の使用者は、両者の視線の向く方向が相反方向にずれ、隣接する使用者の存在を気にせずに作業領域ＷＬ，ＷＲに向かって快適に作業を行うことができる。
一方で、階段通路２を挟んで隣り合う天板付き什器１０を使用している使用者とは視線が交差するようになるが、この使用者が使用している天板付き什器１０とは階段通路２を挟んで離間していることから、天板１２上で行っている作業の内容が露見しにくい。したがって、天板付き什器１０の利用者は、この点からも快適に作業を行うことができる。
【００２９】
また、この実施形態に係る天板付き什器１０とそれに対応する椅子２０，２０とは、椅子２０の座２２の幅方向が、天板１２の対応する作業領域ＷＬ，ＷＲの後端縁（後端面１５を含む。）と同様に、隣接する階段通路２に向かって後方側に傾斜しているため、作業領域ＷＬ，ＷＲを利用する使用者が階段通路２側から椅子２０の座２２に容易に着座でき、また、座２２から階段通路２側に容易に抜け出ることができる。
【００３０】
また、この実施形態に係る天板付き什器１０は、天板１２の階段通路２に臨む側端部１９が階段通路２の延出方向と略平行に形成されているため、天板１２の側端部１９の角部が階段通路２側に突出することがない。したがって、この構成により、階段通路２を通行する人が天板１２の側端部１９の角部に接触しにくくなる。
【００３１】
さらに、この実施形態に係る天板付き什器１０の場合、天板１２の作業領域ＷＬ，ＷＲの後端縁（後端面１５を含む。）だけでなく、前端縁（前端面１４を含む。）側も同様に隣接する階段通路２に向かって後方側に傾斜していることから、天板付き什器１０の各作業領域ＷＬ，ＷＲの前端縁と、その前方の椅子２０，２０の座２２や背凭れ２３の幅方向とが同方向を向くことなになる。したがって、この構成により、天板付き什器１０とその前方側の椅子２０，２０の間に不要なスペースができなくなり、施設内の限られたスペース内に天板付き什器１０と椅子２０，２０を前後方向に効率良く配置することができる。
【００３２】
この実施形態の天板付き什器１０は、天板１２の幅方向の中心線Ｃを挟んで左右に二つの作業領域ＷＬ，ＷＲを有しているが、天板の幅方向に三つ以上の作業領域が設けられるようにしても良い。ただし、この実施形態のように、天板１２の両側部に階段通路２が隣接して配置されるとともに、天板１２の幅方向の中心線Ｃを挟んで左右に二つの作業領域ＷＬ，ＷＲが設けられ、その各作業領域ＷＬ，ＷＲの後端縁（後端面１５を含む。）がそれぞれ隣接する階段通路２に向かって後方側に傾斜する構造である場合には、天板１２上の各作業領域ＷＬ，ＷＲを使用する使用者が隣接する階段通路２側にそれぞれ斜めに向くことになる。
【００３３】
したがって、この実施形態の場合、使用者が各作業領域ＷＬ，ＷＲに正対したときに、作用者の視線の向く方向が確実に相反方向にずれるようになるうえ、階段通路２に対する人の出入りも容易になる。また、この実施形態の場合、天板の幅方向に三つ以上の作業領域を設ける場合に比較して、各作業領域ＷＬ，ＷＲの正面からのずれ角を大きくすることなく隣接する使用者の視線の向く方向をより大きくずらすことができる。
【００３４】
また、図５は、上記の実施形態の変形例を示す施設内の側面図である。
この変形例の組み合わせ什器は、上記と同様の天板付き什器１０と、上記と若干形状や構造の異なる椅子１２０，１２０Ａによって構成されている。図中左側と中央の椅子１２０は、段床１の前部垂立面１ｂに一対の支持アーム２１，２１が取り付けられ、その一対の支持アーム２１，２１に座２２と背凭れ２３とが固定状態で取り付けられている。この椅子１２０は、座２２が跳ね上げ不能に固定されている点と、背凭れ２３の高さが低い点が、図１〜図４に示したものと異なっている。また、図中右側の椅子１２０Ａは、座２２と背凭れ２３が段床１の水平面１ａ上に垂立支柱１２１を介して取り付けられている。ただし、この変形例の椅子１２０，１２０Ａの場合も、座２２や背凭れ２３は幅方向が隣接する階段通路に向かって後方側に傾斜している。
【００３５】
この変形例の組み合わせ什器は、椅子１２０，１２０Ａの形状と構造が図１〜図４に示したものと若干異なるものの、天板付き什器１０の構造と椅子１２０，１２０Ａの設置向き等は同様とされているため、図１〜図４に示したものと同様の効果を得ることができる。
【００３６】
なお、この発明は上記の実施形態に限定されるものではなく、その要旨を逸脱しない範囲で種々の設計変更が可能である。例えば、上記の実施形態においては、天板付き什器１０とそれに対応する椅子２０，２０が階段通路２に隣接するように施設内の段床１に設置されているが、設置する床は必ずしも段床である必要はなく、通路も階段通路ではなく平坦な通路であっても良い。
また、上記の実施形態の天板付き什器１０は、天板１２の両側部が通路に隣接しているが、天板は必ずしも両側部が通路に隣接する必要はなく、片側の側部のみが通路に隣接する構造であっても良い。
【符号の説明】
【００３７】
２  階段通路（通路）
１０  天板付き什器
１１  脚部材
１２  天板
１４  前端面
１５  後端面
１９  側端部
２０  椅子
２２  座
ＷＬ，ＷＲ  作業領域
【図１】
2015229078.tif 000003
【図２】
2015229078.tif 000004
【図３】
2015229078.tif 000005
【図４】
2015229078.tif 000006
【図５】
2015229078.tif 000007